(57)【要約】【課題】スクリーンを一度開いて閉じても、撹拌装置が再作動しないようにする。【解決手段】油圧モータ９を駆動源とする撹拌装置１０を装備し、且つスクリーン１２が開閉可能に設けてあるコンクリートホッパ２において、スクリーン１２の開閉軸１１の一端部に、動作レバー１５を張り出させる。開閉軸１１の一端部に近接させて、撹拌装置１０の油圧回路に組み込んだストップバルブ１７を設置する。ストップバルブ１７の操作レバー１６に、長孔１８を有するリンク１９を連結し、長孔１８に通したピン１９を動作レバー１５に取り付ける。スクリーン１２の開放動作のみを操作レバー１６に伝えてストップバルブ１７を作動させ、油圧モータ９への圧油供給を停止させる。【選択図】　　　　図１
2004025524.tif 000002
【特許請求の範囲】
【請求項１】
油圧モータを駆動源とする撹拌装置を装備し、且つ上部開口部に、スクリーンが開閉軸を中心に上下方向へ開閉できるように配置してあるコンクリートホッパの上記油圧モータへの圧油給排ラインの間にバイパスラインを設けて、該バイパスラインの途中に、スクリーンの開放動作に連動して作動するようにストップバルブを組み込み、該ストップバルブの作動により油圧モータへの圧油の供給を停止させるようにした構成を有することを特徴とするコンクリートホッパの撹拌装置の作動管理装置。
【請求項２】
油圧モータを駆動源とする撹拌装置を装備し、且つ上部開口部に、スクリーンが開閉軸を中心に上下方向へ開閉できるように配置してあるコンクリートホッパの上記開閉軸の一端部に、動作レバーを張り出させると共に、上記開閉軸の一端部に近接させて、操作レバーの回動操作で作動して上記油圧モータへの圧油供給を停止させるようにしたストップバルブを設置し、更に、該ストップバルブの操作レバーの先端部を、長孔を有するリンクの一端部に枢着連結し、該リンクの長孔に摺動自在に通したピンを上記動作レバーの先端部に取り付け、スクリーンの開放動作のみが動作レバーからリンクを介して操作レバーに伝わるようにした構成を有することを特徴とするコンクリートホッパの撹拌装置の作動管理装置。
【請求項３】
油圧モータを駆動源とする撹拌装置を装備し、且つ上部開口部に、スクリーンが開閉軸を中心に上下方向へ開閉可能に配置してあるコンクリートホッパの上記開閉軸の一端部に、ストライカを張り出させると共に、スクリーンの開放動作に伴う該ストライカの変位でリミットスイッチがＯＮになって上記油圧モータへの圧油供給を停止させ且つ停止状態を維持できるようにした自己保持回路を具備し、更に、該自己保持回路のＯＮ状態を解除するための解除スイッチを適宜個所に設置した構成を有することを特徴とするコンクリートホッパの撹拌装置の作動管理装置。
【請求項４】
油圧モータを駆動源とする撹拌装置を装備し、且つ上部開口に、スクリーンが開閉軸を中心に上下方向へ開閉可能に配置してあるコンクリートホッパの上記開閉軸の一端部に、動作レバーを張り出させると共に、上記開閉軸に近接させて、操作レバーの回動操作で作動して上記油圧モータへの圧油供給を停止させるようにしたストップバルブを設置し、該ストップバルブの操作レバーの先端部を、長孔を有するリンクの一端部に枢着連結し、スクリーンの開放動作のみが動作レバーからリンクを介して操作レバーに伝わるように、該リンクの長孔に摺動自在に通したピンを上記動作レバーの先端部に取り付け、更に、上記ストップバルブに隣接させて、スクリーンの開放動作に伴う操作レバーの回動変位でＯＦＦになって上記油圧モータへの圧油供給を停止させるようにしたリミットスイッチを設けた構成を有することを特徴とするコンクリートホッパの撹拌装置の作動管理装置。
【発明の詳細な説明】
【０００１】
【発明の属する技術分野】
本発明はコンクリートポンプにおいてコンクリートホッパに装備されている撹拌装置の作動を管理するために用いる撹拌装置の作動管理装置に関するものである。
【０００２】
【従来の技術】
コンクリートの打設作業に用いるコンクリートポンプを車輌に搭載した、所謂コンクリートポンプ車のうち、たとえば、ブーム付コンクリートポンプ車は、図９にその一例の概略を示す如く、車体のデッキ１上に、コンクリートホッパ２と該コンクリートホッパ２内にあるコンクリートを吸入して吐出するように作動するコンクリートポンプ３を搭載し、且つ旋回テーブル４を旋回自在に載置して、該旋回テーブル４上に、たとえば、３段連結構造とした多段式のブーム５を起伏可能に装備させ、更に、上記コンクリートポンプ３によってコンクリートホッパ２内から吸入して吐出されたコンクリートを輸送するためのコンクリート輸送用配管７を、コンクリートポンプ３からデッキ１に沿わせた後、上記各段のブーム５に沿わせて支持させ、該コンクリート輸送用配管７の先端に接続した可撓性を有するホース６を、最上段のブーム５の先端より垂下させ、更に、該ホース６に先端ホース８を接続し、該先端ホース８の先端吐出口をコンクリート打設個所まで導いてコンクリートを打設するようにしてある。
【０００３】
かかるブーム付コンクリートポンプ車で用いられているコンクリートホッパ２には、図１０及び図１１に示す如く、内部のコンクリートを均一に撹拌混練するために、油圧モータ９を駆動源とする撹拌装置１０が装備され、又、内部への作業員の転落や巻き込まれを防止できるようにすると共に内部でのコンクリート撹拌状態を監視できるようにするために、上部開口部２ａに、開閉軸１１を中心として上下方向へ開閉できるようにしたスクリーン１２が配置され、更に、スクリーン１２の上側を覆えるように蓋１３が開閉可能に設けられている。１４は蓋１３及びスクリーン１２の開放時の起立姿勢を保持させるためのストッパーを示す。
【０００４】
【発明が解決しようとする課題】
ところが、上記コンクリートホッパ２に装備されている撹拌装置１０の場合、電気的な運転スイッチのＯＮ、ＯＦＦにより油圧モータ９の正転、逆転の作動、作動停止を行うようにしてあるため、作動停止状態でスクリーン１２を開いてコンクリートホッパ２内の清掃作業等を行っているときに、第三者が運転スイッチに触れてしまったり、あるいは、運転スイッチのトラブル等が発生すると、撹拌装置１０が作動してしまうおそれがあった。
【０００５】
そこで、本発明は、スクリーンを開いているときには撹拌装置が作動しないようにし、更に、スクリーンを閉じても作業者がリセットしない限り作動停止状態を維持できるようにしようとするものである。
【０００６】
【課題を解決するための手段】
本発明は、上記課題を解決するために、油圧モータを駆動源とする撹拌装置を装備し、且つ上部開口部に、スクリーンが開閉軸を中心に上下方向へ開閉できるように配置してあるコンクリートホッパの上記油圧モータへの圧油給排ラインの間にバイパスラインを設けて、該バイパスラインの途中に、スクリーンの開放動作に連動して作動するようにストップバルブを組み込み、該ストップバルブの作動により油圧モータへの圧油の供給を停止させるようにした構成とする。
【０００７】
スクリーンを開放すると、ストップバルブが作動させられることにより、油圧モータへの圧油の供給が行われないようになるので、運転スイッチがＯＮになっても撹拌装置の作動停止を維持することができる。
【０００８】
又、油圧モータを駆動源とする撹拌装置を装備し、且つ上部開口部に、スクリーンが開閉軸を中心に上下方向へ開閉できるように配置してあるコンクリートホッパの上記開閉軸の一端部に、動作レバーを張り出させると共に、上記開閉軸の一端部に近接させて、操作レバーの回動操作で作動して上記油圧モータへの圧油供給を停止させるようにしたストップバルブを設置し、更に、該ストップバルブの操作レバーの先端部を、長孔を有するリンクの一端部に枢着連結し、該リンクの長孔に摺動自在に通したピンを上記動作レバーの先端部に取り付け、スクリーンの開放動作のみが動作レバーからリンクを介して操作レバーに伝わるようにした構成とすることにより、スクリーンを開放すると、その開放動作が動作レバーからリンクを介し操作レバーに伝えられるため、操作レバーの回動変位によりストップバルブが作動させられて、油圧モータへの圧油供給が停止させられる。したがって、運転スイッチがＯＮにさせられても、撹拌装置が作動させられることはない。又、この状態からスクリーンを閉じると、動作レバーの先端部のピンがリンク長孔内を摺動するため、動作レバーの変位は操作レバーに伝わらないことになる。したがって、操作レバーを手動で元の位置へ復帰させるまでは、油圧制御で撹拌装置の作動停止状態を維持することができる。
【０００９】
更に、油圧モータを駆動源とする撹拌装置を装備し、且つ上部開口部に、スクリーンが開閉軸を中心に上下方向へ開閉可能に配置してあるコンクリートホッパの上記開閉軸の一端部に、ストライカを張り出させると共に、スクリーンの開放動作に伴う該ストライカの変位でリミットスイッチがＯＮになって上記油圧モータへの圧油供給を停止させ且つ停止状態を維持できるようにした自己保持回路を具備し、更に、該自己保持回路のＯＮ状態を解除するための解除スイッチを適宜個所に設置した構成とすることにより、スクリーンを開き始めると、直ちにリミットスイッチの作動に基づいて油圧モータへの圧油供給が停止され、スクリーンを閉じてもその状態が自己保持回路で維持されるため、運転スイッチがＯＮになっても、解除スイッチを押さない限り、電気制御で撹拌装置の作動停止状態を維持することができる。
【００１０】
更に又、油圧モータを駆動源とする撹拌装置を装備し、且つ上部開口に、スクリーンが開閉軸を中心に上下方向へ開閉可能に配置してあるコンクリートホッパの上記開閉軸の一端部に、動作レバーを張り出させると共に、上記開閉軸に近接させて、操作レバーの回動操作で作動して上記油圧モータへの圧油供給を停止させるようにしたストップバルブを設置し、該ストップバルブの操作レバーの先端部を、長孔を有するリンクの一端部に枢着連結し、スクリーンの開放動作のみが動作レバーからリンクを介して操作レバーに伝わるように、該リンクの長孔に摺動自在に通したピンを上記動作レバーの先端部に取り付け、更に、上記ストップバルブに隣接させて、スクリーンの開放動作に伴う操作レバーの回動変位でＯＦＦになって上記油圧モータへの圧油供給を停止させるようにしたリミットスイッチを設けた構成とすることにより、スクリーンを開き始めると、操作レバーの変位で直ちにリミットスイッチがＯＦＦにさせられて、電気制御で撹拌装置の作動停止状態となり、スクリーンが全開になると、電気制御に併せて油圧制御で撹拌装置の作動停止状態となる。したがって、信頼性の高いものとすることができる。
【００１１】
【発明の実施の形態】
以下、本発明の実施の形態を図面を参照して説明する。
【００１２】
図１（イ）（ロ）（ハ）乃至図３は本発明の実施の一形態を示すもので、図１０及び図１１に示したコンクリートホッパ２と同様に、油圧モータ９を駆動源とする撹拌装置１０を装備し、且つ上部開口部２ａに、スクリーン１２が開閉軸１１を中心に上下方向へ開閉できるようにしてある構成において、上記開閉軸１１の一端部に、スクリーン１２の閉状態で斜め下向きで後方へ向けて張り出すように所要長さとした動作レバー１５を取り付け、又、上記開閉軸１１の一端部に近接するコンクリートホッパ後側面部に、操作レバー１６の回動操作で流路を開閉できるようにした２ポートボールバルブの如きストップバルブ１７を、流路閉時の操作レバー１６の向きがスクリーン閉時の動作レバー１５の向きと平行となるように設置すると共に、流路開時に油圧モータ９への圧油供給を停止できるように撹拌装置１０の油圧回路中に組み込み、且つ該ストップバルブ１７の操作レバー１６の先端部を、長孔１８を有するリンク１９の一端部に枢着連結し、該リンク１９の長孔１８に摺動自在に通したピン２０を、上記動作レバー１５の先端部に取り付けて、スクリーン１２の開放動作のみが動作レバー１５からリンク１９を介し操作レバー１６に伝わってストップバルブ１７の流路が開かれるようにする。１６ａは操作レバー１６の手動操作部を示す。
【００１３】
図３は撹拌装置１０の油圧回路を示すもので、油ポンプ２１の吐出側の圧油供給ライン２２及びタンク２３への圧油戻りライン２４と、油圧モータ９の圧油給排ライン２５とを電磁切換バルブ２６を介して接続し、該電磁切換バルブ２６を、ソレノイドＳＯＬ．１、ＳＯＬ．２の励磁、消磁により切り換えることで油圧モータ９を正転、逆転できるようにしてある構成において、上記両圧油給排ライン２５の間に、バイパスライン２７を設け、該バイパスライン２７の途中に、上記ストップバルブ１７を設けて、該ストップバルブ１７の流路開時に油ポンプ２１から供給された圧油がバイパスライン２７を経由してタンク２３へ戻されるようにする。
【００１４】
スクリーン１２が図１（イ）に示す如く閉じられている場合、操作レバー１６の位置が閉位置にセットされ、ストップバルブ１７の流路は閉じられており、油ポンプ２１から吐出された圧油は圧油供給ライン２２から電磁切換バルブ２６のａポート又はｂポートを経て圧油給排ライン２５に流れ、バイパスライン２７を迂回することなく油圧モータ９に送られることで撹拌装置１０が作動させられる。
【００１５】
一方、撹拌装置１０の運転を停止した状態において、スクリーン１２を開くと、該スクリーン１２の開放動作に伴い、図１（ロ）及び図２に示す如く、動作レバー１５が前方へ回動変位させられ、その変位がリンク１９を介して操作レバー１６に伝えられるため、該操作レバー１６が開位置に変位させられることによりストップバルブ１７の流路が開かれることになる。したがって、この状態で運転スイッチがＯＮにさせられたとしても、油ポンプ２１から吐出された圧油は圧油給排ライン２５からバイパスライン２７を迂回してタンク２３へ戻されるため、油圧制御により撹拌装置１０の作動停止状態が維持される。
【００１６】
更に、かかる状態から図１（ハ）に示す如く、スクリーン１２を閉じると、該スクリーン１２の閉鎖動作に伴い動作レバー１５は後方へ回動変位させられるが、動作レバー１５の先端部に取り付けてあるピン２０がリンク１９の長孔１８内を摺動するため、該回動変位は操作レバー１６へは伝わらず、撹拌装置１０の作動停止状態が未だ維持されていることになる。したがって、コンクリートホッパ２内の清掃作業等を行っているときに、不意にスクリーン１２が閉じてしまったとしても作業員が撹拌装置１０に巻き込まれてしまうような自体の発生を未然に防ぐことができる。
【００１７】
又、撹拌装置１０を作動可能な状態に復帰させる場合は、手動により、操作レバー１６を図１（イ）に示す閉位置まで戻すようにする。これにより、ストップバルブ１７の流路が閉じられるため、運転スイッチをＯＮにすると、圧油が油圧モータ９に供給されることになる。なお、上記ストップバルブ１７の場合、万一故障が生じて油漏れが生じるような事態が発生したとしても、油圧モータ９を停止させる方向に作用するので、重大事故に発展するおそれはない。
【００１８】
次に、図４（イ）（ロ）乃至図６は本発明の実施の他の形態を示すもので、図１０及び図１１に示したコンクリートホッパ２と同様な構成において、スクリーン１２の開閉軸１１の一端部の直下方部に、リミットスイッチ２８を設置し、スクリーン１２を開き始めたときに該リミットスイッチ２８をＯＮにできるように上記開閉軸１１の一端部にストライカ２９を張り出させると共に、上記リミットスイッチ２８がＯＮになったときに油圧モータ９への圧油供給を停止させてその状態を自己保持できるようにし、更に、この自己保持状態を解除するための解除スイッチ３０を、適宜個所として、たとえば、ストッパー１４に取り付ける。
【００１９】
図６は撹拌装置１１の運転を切り換える電気回路を示すもので、油圧モータ９の正転、逆転の始動、停止用運転スイッチ３１を、正転側又は逆転側にＯＮにすることにより、図３に示す電磁切換バルブ２６のソレノイドＳＯＬ．１又はソレノイドＳＯＬ．２が励磁されるようにしてある構成において、上記油圧モータ９を正転、逆転や運転停止に切り換える回路と並列に、リミットスイッチ２８、リレーＸ１を直列に配したラインを設けると共に、リミットスイッチ２８に並列させたラインにリレーＸ１のａ接点ｘ１を設けて自己保持回路３２を構成し、又、上記運転スイッチ３１のラインにリレーＸ１のｂ接点ｘ１を設け、更に、リミットスイッチ２８とリレーＸ１を有するラインの所要個所に解除スイッチ３０を組み込み、リミットスイッチ２８がＯＮになると、リレーＸ１が励磁されることによりａ接点ｘ１がＯＮになると共に、ｂ接点ｘ１がＯＦＦになって、解除スイッチ３０が押されるまで油圧モータ９への圧油の供給が停止させられてその状態が維持されるようにする。
【００２０】
上記図４（イ）（ロ）乃至図６の実施の形態の場合は、図４（イ）に示すようなスクリーン１２の閉鎖状態から図４（ロ）に示すようにスクリーン１２を開くと、スクリーン１２を開き始めた時点で直ちにストライカ２９によりリミットスイッチ２８をＯＮにすることができる。リミットスイッチ２８がＯＮになると、図６に示すリレーＸ１が励磁されることによりｂ接点ｘ１がＯＦＦになるため、油圧モータ９への圧油の供給が停止させられる。又、これと同時に、リレーＸ１のａ接点ｘ１がＯＮになり、自己保持回路３２が立ち上がるため、その後、スクリーン１２が閉じられることによりリミットスイッチ２８がＯＦＦになっても油圧モータ９の運転は停止したままであり、電気制御で撹拌装置１０の作動停止状態を維持することができる。かかる状態において、解除スイッチ３０を押すと、リレーＸ１が消磁されることにより自己保持状態が解除されるため、運転スイッチ３１をＯＮにすることにより再作動可能となる。
【００２１】
次いで、図７（イ）（ロ）及び図８は本発明の実施の更に他の形態を示すもので、図１（イ）（ロ）（ハ）乃至図３に示した実施の形態と同様な構成において、ストップバルブ１７に隣接させてリミットスイッチ３３を設置し、スクリーン１２の開放動作に伴う操作レバー１６の回動変位でリミットスイッチ３３がＯＦＦになって、油圧モータ９への圧油供給を停止させるようにしたものである。
【００２２】
上記リミットスイッチ３３は、図８に示す如く、運転スイッチ３１のラインに組み入れて、操作レバー１６を閉位置にセットしたときだけＯＮになるようにしてある。
【００２３】
図７（イ）（ロ）及び図８の実施の形態の場合は、スクリーン１２が開き始めると、操作レバー１６の変位でリミットスイッチ３３が直ちにＯＦＦにさせられるため、その時点で電気制御により撹拌装置１０の作動停止状態となり、更に、スクリーン１２が全開になると、電気制御に併せて油圧制御で撹拌装置１０の作動停止状態とすることができる。したがって、万一電気的なトラブルでスイッチが作動しなくなっても、油圧制御で撹拌装置１０の作動停止状態を維持できるので、信頼性の高いものとなる。又、再作動させる場合、ストップバルブ１７の操作レバー１０を手動で閉位置に戻すことにより、油圧、電気共に解除される。
【００２４】
なお、本発明は上記実施の形態にのみ限定されるものではなく、本発明の要旨を逸脱しない範囲内において種々変更を加え得ることは勿論である。
【００２５】
【発明の効果】
以上述べた如く、本発明のコンクリートホッパの撹拌装置用作動管理装置によれば、次の如き優れた効果を発揮する。
（１）油圧モータを駆動源とする撹拌装置を装備し、且つ上部開口部に、スクリーンが開閉軸を中心に上下方向へ開閉できるように配置してあるコンクリートホッパの上記油圧モータへの圧油給排ラインの間にバイパスラインを設けて、該バイパスラインの途中に、スクリーンの開放動作に連動して作動するようにストップバルブを組み込み、該ストップバルブの作動により油圧モータへの圧油の供給を停止させるようにした構成としてあるので、スクリーンを開放すると、スクリーンの開放動作に伴いストップバルブを作動させることができ、油圧モータへの圧油の供給が行われないようになるので、この間に運転スイッチがＯＮにされても撹拌装置の作動停止状態を維持することができる。
（２）油圧モータを駆動源とする撹拌装置を装備し、且つ上部開口部に、スクリーンが開閉軸を中心に上下方向へ開閉できるように配置してあるコンクリートホッパの上記開閉軸の一端部に、動作レバーを張り出させると共に、上記開閉軸に近接させて、操作レバーの回動操作で作動して上記油圧モータへの圧油供給を停止させるようにしたストップバルブを設置し、更に、該ストップバルブの操作レバーの先端部を、長孔を有するリンクの一端部に枢着連結し、該リンクの長孔に摺動自在に通したピンを上記動作レバーの先端部に取り付け、スクリーンの開放動作のみが動作レバーからリンクを介して操作レバーに伝わるようにした構成としてあるので、スクリーンを開放すると、その開放動作が動作レバーからリンクを介しストップバルブの操作レバーに伝えられることになって、ストップバルブが作動させられることにより油圧モータへの圧油供給を停止させることができ、一方、スクリーンを閉じると、動作レバーの先端部のピンがリンクの長孔内を摺動することにより操作レバーへは動作レバーの変位を伝えないので、スクリーンを開いているときに運転スイッチがＯＮにされてしまったり、不意にスクリーンが閉じてしまったとしても、撹拌装置の作動停止状態を油圧制御で維持することができ、したがって、作業員の巻き込まれ等の事故の発生を確実に防止することができる。
（３）油圧モータを駆動源とする撹拌装置を装備し、且つ上部開口部に、スクリーンが開閉軸を中心に上下方向へ開閉可能に配置してあるコンクリートホッパの上記開閉軸の一端部に、ストライカを張り出させると共に、スクリーンの開放動作に伴う該ストライカの変位でリミットスイッチがＯＮになって上記油圧モータへの圧油供給を停止させ且つ停止状態を維持できるようにした自己保持回路を具備し、更に、該自己保持回路のＯＮ状態を解除するための解除スイッチを適宜個所に設置した構成とすることにより、スクリーンを開き始めると、直ちにリミットスイッチ作動に基づいて油圧モータへの圧油供給を停止することができ、スクリーンを閉じてもその状態を自己保持回路で維持できるため、スクリーンを一旦開くと、その後運転スイッチをＯＮにしても、解除スイッチを押すまでは電気制御で撹拌装置の作動停止状態を維持することができる。
（４）油圧モータを駆動源とする撹拌装置を装備し、且つ上部開口に、スクリーンが開閉軸を中心に上下方向へ開閉可能に配置してあるコンクリートホッパの上記開閉軸の一端部に、動作レバーを張り出させると共に、上記開閉軸に近接させて、操作レバーの回動操作で作動して上記油圧モータへの圧油供給を停止させるようにしたストップバルブを設置し、該ストップバルブの操作レバーの先端部を、長孔を有するリンクの一端部に枢着連結し、スクリーンの開放動作のみが動作レバーからリンクを介して操作レバーに伝わるように、該リンクの長孔に摺動自在に通したピンを上記動作レバーの先端部に取り付け、更に、上記ストップバルブに隣接させて、スクリーンの開放動作に伴う操作レバーの回動変位で直ちにＯＦＦになって上記油圧モータへの圧油供給を停止させるようにしたリミットスイッチを設けた構成とすることにより、電気制御と油圧制御の併用により撹拌装置の作動停止状態を維持することができるので、より高い信頼性が得られる。
【図面の簡単な説明】
【図１】本発明のコンクリートホッパの撹拌装置用作動管理装置の実施の一形態を示すもので、（イ）（ロ）（ハ）はいずれも異なる作動状態を示す側面図である。
【図２】図１（ロ）のＡ部拡大図である。
【図３】図１に示す装置の油圧回路図である。
【図４】本発明の実施の他の形態を示すもので、（イ）（ロ）はそれぞれ異なる作動状態を示す側面図である。
【図５】図４（ロ）のＢ部拡大図である。
【図６】図４に示す装置の電気回路図である。
【図７】本発明の実施の更に他の形態を示すもので、（イ）（ロ）はそれぞれ異なる作動状態を示す側面図である。
【図８】図７に示す装置の電気回路図である。
【図９】コンクリートポンプ車の一例を示す概要図である。
【図１０】コンクリートポンプ車で用いられているコンクリートホッパの一例を示す平面図である。
【図１１】図１０に示すコンクリートホッパのスクリーンを開いた状態の側面図である。
【符号の説明】
２　コンクリートホッパ
２ａ　上部開口部
９　油モータ
１０　撹拌装置
１１　開閉軸
１２　スクリーン
１５　動作レバー
１６　操作レバー
１７　ストップバルブ
１８　長孔
１９　リンク
２０　ピン
２５　圧油給排ライン
２８　リミットスイッチ
２９　ストライカ
３０　解除スイッチ
３２　自己保持回路
３３　リミットスイッチ
【図１】
2004025524.tif 000003
【図２】
2004025524.tif 000004
【図３】
2004025524.tif 000005
【図４】
2004025524.tif 000006
【図５】
2004025524.tif 000007
【図６】
2004025524.tif 000008
【図７】
2004025524.tif 000009
【図８】
2004025524.tif 000010
【図９】
2004025524.tif 000011
【図１０】
2004025524.tif 000012
【図１１】
2004025524.tif 000013